(57)【要約】【課題】循環経路を一系統として配管スペースの縮小と配管作業の負担解消を図るとともに、一系統の循環経路であっても微細気泡発生運転と追い炊き運転の切り換えを実現することのできる微細気泡発生浴槽を提供すること。【解決手段】微細気泡発生浴槽１は、浴槽３と、浴槽に連通し、浴槽内の湯水２を一旦外部に取り出した後、浴槽内に戻す循環経路４とを備え、循環経路の途中に循環ポンプ８および熱交換器１７が接続されるとともに、湯水の流れに関し、熱交換器の上流側において気体溶解装置１３が循環経路に接続され、熱交換器の下流側において循環経路の開口面積を調整する開口調整装置１９が循環経路に接続されている。【選択図】図１
2010252990.tif 000002
【特許請求の範囲】
【請求項１】
浴槽と、浴槽に連通し、浴槽内の湯水を一旦外部に取り出した後、浴槽内に戻す循環経路とを備え、循環経路の途中に循環ポンプおよび熱交換器が接続されている微細気泡発生浴槽において、湯水の流れに関し、熱交換器の上流側において気体溶解装置が循環経路に接続され、熱交換器の下流側において循環経路の開口面積を調整する開口調整装置が循環経路に接続されていることを特徴とする微細気泡発生浴槽。
【請求項２】
開口調整装置による循環経路の開口面積の調整にともなう湯水に関する情報を検知する検知手段が配設され、開口面積が小さいときに対応する情報を検知手段が検知したとき、熱交換器の作動を停止させ、開口面積が大きいときに対応する情報を検知手段が検知したとき、熱交換器を作動させる制御装置が配設されていることを特徴とする請求項１に記載の微細気泡発生浴槽。
【請求項３】
開口調整装置は手動操作部を備え、手動操作部は浴槽のフランジ部に配設されていることを特徴とする請求項１または２に記載の微細気泡発生浴槽。
【請求項４】
湯水に溶解する気体を導入する気体導入部が、気体溶解装置に配設されているか、または、湯水の流れに関し、気体溶解装置の上流側において循環経路に接続され、気体導入部が行う気体の導入とその停止が開口調整装置による循環経路の開口面積の調整に連動し、開口面積が大きいときに気体の導入を停止し、小さいときに気体の導入を行うことを特徴とする請求項１から３いずれか一項に記載の微細気泡発生浴槽。
【請求項５】
気体溶解装置は、湯水に未溶解の気体を排気する排気手段を備えていることを特徴とする請求項１から４いずれか一項に記載の微細気泡発生浴槽。
【発明の詳細な説明】
【技術分野】
【０００１】
本発明は、浴槽内で湯水中に微細気泡を発生させる微細気泡発生浴槽に関する。
【背景技術】
【０００２】
下記特許文献１に記載された気泡水流発生装置では、微細気泡発生時には、循環ポンプの作動によって浴槽から吸い込んだ温水を、エジェクタにおいて吸引した空気と混合し、気液溶解タンクに導入した後、温水に空気を溶解させる。温水に溶解した空気は、微細気泡発生手段において急激に減圧されることによって微細気泡となり、浴槽に噴出する。微細気泡発生時には、温水は、熱交換器を流通しない。
【０００３】
一方、大気泡発生時には、温水は、一部が熱交換器を通じて大気泡発生手段に送られた後、浴槽に戻される。
【０００４】
このように、特許文献１に記載された気泡水流発生装置は、微細気泡発生機能と追い炊き機能とを切り換えるようにしている。
【先行技術文献】
【特許文献】
【０００５】
【特許文献１】特許第３４１６９６５号公報
【発明の概要】
【発明が解決しようとする課題】
【０００６】
しかしながら、特許文献１に記載された気泡水流発生装置には、微細気泡発生時の温水の循環経路と追い炊き時の温水の循環経路とが別々に形成され、二系統となっており、その切り換えを行うようにしているため、温水の循環経路は、複雑であるとともに大きな配管スペースを必要としている。限られた大きさの浴室への設置を考えると、レイアウトが難しい場合があり、また、配管作業が手間取るなどの問題が指摘される。
【０００７】
本発明は、循環経路を一系統として配管スペースの縮小と配管作業の負担軽減を図るとともに、一系統の循環経路であっても微細気泡発生運転と追い炊き運転の切り換えを実現することのできる微細気泡発生浴槽を提供することを課題としている。
【課題を解決するための手段】
【０００８】
本発明は、上記の課題を解決するために、以下の特徴を有している。
【０００９】
第１の発明は、浴槽と、浴槽に連通し、浴槽内の湯水を一旦外部に取り出した後、浴槽内に戻す循環経路とを備え、循環経路の途中に循環ポンプおよび熱交換器が接続されている微細気泡発生浴槽において、湯水の流れに関し、熱交換器の上流側において気体溶解装置が循環経路に接続され、熱交換器の下流側において循環経路の開口面積を調整する開口調整装置が循環経路に接続されていることを特徴としている。
【００１０】
第２の発明は、上記第１の発明の特徴において、開口調整装置による循環経路の開口面積の調整にともなう湯水に関する情報を検知する検知手段が配設され、開口面積が小さいときに対応する情報を検知手段が検知したとき、熱交換器の作動を停止させ、開口面積が大きいときに対応する情報を検知手段が検知したとき、熱交換器を作動させる制御装置が配設されていることを特徴としている。
【００１１】
第３の発明は、上記第１または第２の発明の特徴において、開口調整装置は手動操作部を備え、手動操作部は浴槽のフランジ部に配設されていることを特徴としている。
【００１２】
第４の発明は、上記第１から第３いずれか一つの特徴において、湯水に溶解する気体を導入する気体導入部が、気体溶解装置に配設されているか、または、湯水の流れに関し、気体溶解装置の上流側において循環経路に接続され、気体導入部が行う気体の導入とその停止が開口調整装置による循環経路の開口面積の調整に連動し、開口面積が大きいときに気体の導入を停止し、小さいときに気体の導入を行うことを特徴としている。
【００１３】
第５の発明は、上記第１から第４いずれか一つの特徴において、気体溶解装置は、湯水に未溶解の気体を排気する排気手段を備えていることを特徴としている。
【発明の効果】
【００１４】
上記第１の発明によれば、循環ポンプおよび熱交換器が接続され、浴槽に連通している循環経路に、湯水の流れに関し、熱交換器の上流側に気体溶解装置が接続され、熱交換器の下流側に開口調整装置が接続されているので、開口調整装置が循環経路の開口面積を縮小させると、循環経路を流れる流速が速くなり、急速に減圧されるため、気泡が生成する。一方、開口面積を増大させると、流速が遅くなり、減圧されないことから、気泡の生成が起こりにくくなる。このため、一系統の循環経路であっても微細気泡発生運転と追い炊き運転の切り換えが実現される。配管スペースは縮小可能となり、配管作業の負担が軽減される。
【００１５】
上記第２の発明によれば、上記第１の発明の効果に加え、開口調整装置による循環経路の開口面積の調整にともなう湯水に関する情報を検知する検知手段と、検知手段が検知した湯水に関する情報に応じて熱交換器の動作を制御する制御装置が配設されているので、循環経路の開口面積を小さくした微細気泡発生運転時に熱交換器を自動的に停止させ、追い炊き運転が行われないようにすることができる。微細気泡発生運転と追い炊き運転の切り換えが簡便かつスムーズに行われる。
【００１６】
上記第３の発明によれば、上記第１または第２の発明の効果に加え、開口調整装置が備える手動操作部が浴槽のフランジ部に配設されているので、微細気泡発生運転と追い炊き運転を手動で切り換えることができ、入浴者が入浴中に手元などで簡便に行うことができる。また、火傷などの心配なく安全に切り換え操作を行うことができる。しかも、微細気泡の発生にともない浴槽内の湯水が白濁した状態となっても、手動操作部の操作は支障なくスムーズに行うことができる。
【００１７】
上記第４の発明によれば、上記第１から第３いずれか一つの発明の効果に加え、気体導入部が行う気体の導入とその停止が開口調整装置による循環経路の開口面積の調整に連動しているので、追い炊き運転時に微細気泡は発生せず、微細気泡発生運転と追い炊き運転の切り換えがより簡便かつスムーズに行われる。
【００１８】
上記第５の発明によれば、上記第１から第４いずれか一つの発明の効果に加え、湯水に溶解せず、気体溶解装置に残留する未溶解の気体を排気手段から排気することができ、未溶解の気体が、気体が溶解した湯水とともに大泡となって浴槽内に流出するのを抑制することができる。湯水中の微細気泡量の低下を抑えるのに有効となる。
【図面の簡単な説明】
【００１９】
【図１】本発明の微細気泡発生浴槽の第１実施形態を示した構成図である。
【図２】図１に示した微細気泡発生浴槽において、ゲートバルブが適用された開口調整装置を、その周辺の循環経路の一部を形成する配水管とともに示した要部断面図である。
【図３】本発明の微細気泡発生浴槽の第２実施形態を示した構成図である。
【図４】図３に示した微細気泡発生浴槽において、開口調整装置が備える手動操作部とその周辺を示した要部斜視図である。
【発明を実施するための形態】
【００２０】
＜第１実施形態＞
図１に示した微細気泡発生浴槽１は、湯水２を貯留する浴槽３と、浴槽３内の湯水２を一旦浴槽３の外部に取り出した後、浴槽３内に戻す、配管などから形成される循環経路４とを備えている。循環経路４における湯水２の流れの方向は、図１図中に示した矢印方向としている。
【００２１】
浴槽３は、側面部に湯水２の吸込口５と吐出口６を備えている。吸込口５は、循環経路４の一部を形成する配水管７を介して循環ポンプ８の吸い込み側８ａに接続されている。循環ポンプ８には、たとえば遠心ポンプなどが適用可能である。
【００２２】
湯水２の流れに関して循環ポンプ８の上流側には、空気などの気体を湯水２に導入するための気体導入部９が配設され、気体導入部９は配水管７に接続されている。気体導入部９には、たとえばエジェクタなどが適用される。また、気体導入部９は、浴室内の空気などを吸引する吸引口１０を備えている。吸引口１０は、浴室内または浴室外の適当な場所に配置することができ、また、浴槽３の上面部を形成するフランジ部１１などに取り付けることも可能である。
【００２３】
循環ポンプ８の吐出側８ｂは、循環経路４の一部を形成する流入管１２を介して気体溶解装置１３に備えた溶解タンク１４の上端部に接続されている。湯水２と、気体導入部９から導入される空気などの気体との気液混合流体は、循環ポンプ８によって加圧された状態で気体溶解装置１３に供給される。気液混合流体は、流入管１２を通じて溶解タンク１４内にその上端部から底部に向かって噴出し、溶解タンク１４内で攪拌されるなどして気体が湯水２に溶解する。気体溶解装置１３については、湯水２に空気などの気体を溶解させることができる限り、その構成などは特に制限されない。従来公知のものを含め、適当なものを採用することができる。たとえば、流入管１２は、溶解タンク１４の底部に接続することもできる。また、気体導入部９は、配水管７への接続に替え、気体溶解装置１３に配設することができる。
【００２４】
気体溶解装置１３は、湯水２への気体の溶解に際し、湯水２に溶けきれず、溶解タンク１４内に残留する未溶解の気体を溶解タンク１４の外部に排気する排気手段１５を備えている。排気手段１５は、たとえば、気体放出弁を有するものとして構成することができ、溶解タンク１４に配設することができる。気体放出弁は、溶解タンク１４内に残留する気体の放出と停止を行うことができる。
【００２５】
気体溶解装置１３の溶解タンク１４には、その底部に、気体の溶解した湯水２を外部に取り出す流出管１６の一端が接続されている。流出管１６も循環経路４の一部を形成するものであり、その他端は熱交換器１７の底部に接続している。熱交換器１７は、浴槽３内の湯水２の温度を一定に保つ、または浴槽３内の湯水２の温度を所望の温度に加温するための加熱手段であり、浴槽３内の湯水２の温度があらかじめ設定された設定温度を下回ったときや浴槽３内の湯水２を加温する要求があったときに湯水２を加熱する。このような熱交換器１７によって微細気泡発生浴槽１は追い炊き機能を有している。
【００２６】
湯水２の温度検知は、浴槽３内の湯水２の温度を確認するために、湯水２の流れに関し、熱交換器１７の上流側で行う。たとえば、浴槽３や配水管７などに温度センサを配設し、熱交換器１７の上流側の循環経路４を流れる湯水２の温度を検出して、温度センサによる温度検知に基づき熱交換器１７の作動または停止を自動的に行わせることができる。
【００２７】
熱交換器１７は、循環経路４の一部を形成する配水管１８を介して浴槽３の吐出口６に接続されている。配水管１８の熱交換器１７側の一端は熱交換器１７の上端部に接続されている。
【００２８】
配水管１８において、湯水２の流れに関し、熱交換器１７の下流側には、配水管１８の開口面積を調整する開口調整装置１９が接続されている。開口調整装置１９は、その配設箇所において配水管１８の開口を開閉し、開口面積の大きさを調整する。このような開口調整装置１９には、ボールバルブ、グローブバルブ、ゲートバルブなどが適用可能である。図２には、ゲートバルブ２０が適用された開口調整装置１９を例示している。
【００２９】
また、配水管１８において、湯水２の流れに関し、熱交換器１７の下流側に、開口調整装置１９による循環経路４の開口面積の調整にともなう湯水２に関する情報を検知する検知手段２１として、圧力センサ２２が配設されている。圧力センサ２２は、配設箇所を流れる湯水２の圧力を検出するものであり、検知信号は、圧力センサ２２に電気的に接続された制御装置２３に出力される。制御装置２３は、熱交換器１７に電気的に接続されており、圧力センサ２２による圧力検知に基づいて熱交換器１７に作動または停止のコマンドを送信する。具体的には、制御装置２３は、湯水２の圧力が高いときには熱交換器１７を停止させ、低いときに作動させるように設定されている。
【００３０】
微細気泡発生浴槽１では、循環ポンプ８の作動によって浴槽３内の湯水２を吸込口５から吸い込み、配水管７および流入管１２を通じて気体溶解装置１３に送り出す。気体溶解装置１３において湯水２は、溶解タンク１４内に噴出し、吸引口１０を通じて気体導入部９により導入される浴室内の空気などの気体と混合され、湯水２中に気体が溶解する。所定の濃度に気体が溶解した湯水２は、溶解タンク１４から流出し、流出管１６および配水管１８を経て吐出口６から浴槽３内に送り出される。気体が溶解した湯水２は、浴槽３内に貯留する湯水２と混合され、このときまたはそれ以前に湯水２中に溶解した気体が、圧力の低下にともなって析出し、微細気泡が発生する。
【００３１】
浴槽３内の湯水２は、循環ポンプ８の作動によって循環経路４を流れて循環し、この循環が繰り返されて浴槽３内の湯水２の気泡量が増加する。浴槽３内の湯水２は微細気泡によって白濁し、牛乳風呂のような趣を与える。
【００３２】
また、微細気泡発生浴槽１では、循環ポンプ８の作動によって浴槽３内の湯水２を循環させるとき、熱交換器１７に通じることによって湯水２を加熱し、浴槽３内の湯水２の温度を設定温度に一定に保ったり、浴槽３内の湯水２の温度があらかじめ設定された設定温度を下回ったときや浴槽３内の湯水２を加温する要求があったときに湯水２を加熱したりすることもできる。
【００３３】
そして、微細気泡発生浴槽１では、制御装置２３による熱交換器１７の動作制御は、開口調整装置１９による循環経路４の開口面積の調整にともなって、検知手段２１として配設された圧力センサ２２が検出する湯水２に関する情報に基づいて行われる。すなわち、循環経路４の開口面積が小さく、あらかじめ設定されたしきい値を超える高い圧力を圧力センサ２２が検知したときには、制御装置２３は、熱交換器１７に停止のコマンドを送信し、熱交換器１７の作動を停止させる。一方、循環経路４の開口面積が大きく、上記しきい値を下回る低い圧力を圧力センサ２２が検知したときには、制御装置２３は、熱交換器１７に作動のコマンドを送信し、熱交換器１７を作動させる。このような制御装置２３による熱交換器１７の動作制御によって、微細気泡発生浴槽１は、微細気泡発生運転と追い炊き運転を自動的に切り換えることができる。
【００３４】
図２＜ａ＞に示したように、開口調整装置１９としてのゲートバルブ２０が、図中の矢印方向に回転し、循環経路４の一部を形成する配水管１８を閉ざすように開口面積ｓを縮小させると、湯水２の圧力が高くなり、気体溶解装置１３における気体の溶解量が多くなる。また、湯水２の流速が速くなり、ゲートバルブ２０を通過後、急速に減圧されるため、キャビテーションにしたがって湯水２に溶解していた空気などの気体が析出し、微細気泡が大量に発生する。つまり、循環経路４の開口面積ｓが小さいとき、微細気泡発生浴槽１は微細気泡発生運転となる。
【００３５】
一方、図２＜ｂ＞に示したように、ゲートバルブ２０が、図２＜ａ＞図中の矢印方向と逆方向に回転し、配水管１８を開けるように開口面積ｓを増大させると、湯水２の圧力が低くなり、気体溶解装置１３における気体の溶解量が少なくなる。また、湯水２の流速は遅く、ゲートバルブ２０の通過後も減圧されないため、気体の析出は起こりにくく、微細気泡はほとんど発生しない。このとき、熱交換器１７は作動しているので、循環経路４の開口面積ｓが大きいとき、微細気泡発生浴槽１は追い炊き運転となる。
【００３６】
上記のとおりの微細気泡発生浴槽１の微細気泡発生運転および追い炊き運転のＯＮ/ＯＦＦは、たとえば、浴室内に設置される微細気泡発生浴槽１のリモートコントローラからの入力によって実現可能である。
【００３７】
リモートコントローラに微細気泡スイッチおよび追い炊きスイッチを配設した場合について説明すると、入浴者などによって微細気泡スイッチがＯＮとされたとき（追い炊きスイッチはＯＦＦ）、熱交換器１７における湯水２の加熱をＯＦＦにし、循環ポンプ８を作動させるとともに、開口調整装置１９としてのゲートバルブ２０を循環経路４を閉める方向に回転させる。湯水２は熱交換器１７を通過するものの、加熱されないので、微細気泡発生浴槽１は、微細気泡発生運転のみとなり、浴槽３内に微細気泡が多量に発生する。
【００３８】
追い炊きスイッチがＯＮとされたとき（微細気泡スイッチはＯＦＦ）には、熱交換器１７における湯水２の加熱をＯＮにし、循環ポンプ８を作動させるとともに、ゲートバルブ２０を循環経路４を開ける方向に回転させる。湯水２は熱交換器１７を通過する際に加熱される。微細気泡発生浴槽１は、追い炊き運転のみとなり、浴槽３内の湯水２は設定温度に一定に保たれる。
【００３９】
一方、微細気泡スイッチおよび追い炊きスイッチがともにＯＮとされたときには、追い炊きスイッチのＯＮにともない熱交換器１７における湯水２の加熱がＯＮとされ、循環ポンプ８が作動する。ゲートバルブ２０は、微細気泡スイッチのＯＮにともなって、循環経路４を閉める方向に回転する。このとき、検知手段２１としての圧力センサ２２から循環経路４の開口面積ｓが小さいときに対応する検知信号が制御装置２３に入力されるが、制御装置２３は、熱交換器１７を強制的に作動させる運転モードとして認識し、圧力センサ２２からの検知信号をキャンセルする。したがって、微細気泡発生浴槽１では、微細気泡スイッチおよび追い炊きスイッチがともにＯＮのとき、微細気泡発生運転を行いながら、追い炊き運転を継続させることができ、湯水２の温度を一定に保った状態において微細気泡を連続して発生させることができる。なお、熱交換器１７を強制的に作動させる運転モードの場合であっても、圧力センサ２２からの検知信号が所定の上限値を超えたときは、熱交換器１７を強制的に停止させるようにしてもよい。
【００４０】
このように、微細気泡発生浴槽１は、一系統の循環経路４であっても、微細気泡発生運転と追い炊き運転を、開口調整装置１９による循環経路４の開口面積ｓの調整によって切り換えることができる。したがって、配管スペースは縮小可能となり、配管作業の負担が軽減される。また、微細気泡運転と追い炊き運転の切り換えは、自動化されるため、簡便かつスムーズに行われる。
【００４１】
なお、微細気泡発生浴槽１では、気体導入部９が行う浴室内の空気などの気体の導入とその停止を、開口調整装置１９による循環経路４の開口面積ｓの調整に連動させることができる。たとえば、気体導入部９に電磁弁などを配設し、その開閉をゲートバルブ２０による循環経路４の開口の開閉に連動させることができる。この場合、電磁弁の開動作とゲートバルブ２０の図２＜ａ＞に示した閉動作に連動させ、電磁弁の閉動作は、ゲートバルブ２０の図２＜ｂ＞に示した開動作に連動させる。こうすることによって、ゲートバルブ２０による循環経路４の開口面積ｓを縮小させる微細気泡発生運転時に気体導入部９からの気体の導入を可能とし、一方、循環経路４の開口面積ｓを増大させる追い炊き運転時に気体の導入を停止させることができる。気体が導入されないことから、追い炊き運転時に湯水２に微細気泡は発生しなくなり、微細気泡発生運転と追い炊き運転の切り換えが、より簡便かつスムーズに行われる。
【００４２】
また、微細気泡発生浴槽１では、気体溶解装置１３は排気手段１５を備えているので、湯水２に溶解せず、気体溶解装置１３の溶解タンク１４に残留する未溶解の気体を排気手段１５から排気することができる。このため、未溶解の気体が、気体が溶解した湯水２とともに大泡となって浴槽３内に流出するのを抑制することができ、湯水２中の微細気泡量の低下を抑えるのに有効となる。
【００４３】
微細気泡発生浴槽１には、圧力センサ２２に替え、流量センサなどを検知手段２１として配設することができる。検知手段２１には、開口調整装置１９による循環経路４の開口面積ｓの調整にともなう湯水２に関する情報を検知することができる限り、特別な制限はない。
＜第２実施形態＞
図３、４に示した微細気泡発生浴槽１は、開口調整装置１９の構成において、図１、２に示した微細気泡発生浴槽１と相違している。他の構成については、図１、２に示した微細気泡発生浴槽１と共通している。したがって、図３、４には、図１、２に示した微細気泡発生浴槽１と共通する部位に同一の符号を付し、以下ではその説明を省略する。
【００４４】
図３、４に示した微細気泡発生浴槽１では、開口調整装置１９としてのゲートバルブ２０は、手動操作部２４として回転つまみ２５を有し、回転つまみ２５の手動操作によって循環経路４の開口面積ｓの調整を可能としている。回転つまみ２５は、左方向の回転が循環経路４の開口を閉める操作に対応し、右方向の回転が循環経路４の開口を開ける操作に対応している。また、回転つまみ２５は、浴槽３の上面部を形成し、外側に延在しているフランジ部１１に配設されている。
【００４５】
このため、図３、４に示した微細気泡発生浴槽１は、図１、２に示した微細気泡発生浴槽１とほぼ同等な作用効果を奏するとともに、微細気泡発生運転と追い炊き運転の切り換えを手動操作によって行うことができる。または、微細気泡発生運転と追い炊き運転の切り換えを自動でも手動でも行うことができる。
【００４６】
すなわち、上記のとおりのリモートコントローラにおいて微細気泡スイッチをＯＮにすると、熱交換器１７における加熱がＯＦＦとされて循環ポンプ８が作動する。この状態において、回転つまみ２５を循環経路４の開口を開く方向に回転操作させると（右回転）、微細気泡は発生せず、湯水２の循環のみが行われる。回転つまみ２５を循環経路４の開口を閉じる方向に回転操作させると（左回転）、微細気泡発生運転のみとなり、浴槽３内に微細気泡が発生する。
【００４７】
一方、追い炊きスイッチをＯＮにすると、熱交換器１７における加熱がＯＮとされて循環ポンプ８が作動する。この状態において、回転つまみ２５を循環経路４の開口を開く方向に回転操作させると（右回転）、追い炊き運転のみが行われる。浴槽３内の湯水２の温度が設定温度に一定に保たれる。回転つまみ２５を循環経路４の開口を閉じる方向に回転操作させると（左回転）、微細気泡発生運転と追い炊き運転の両方が行われ、湯水２の温度を一定に保ちながら、微細気泡の発生を連続して行うことができる。
【００４８】
なお、いずれの場合も、制御装置２３による熱交換器１７の動作制御は、図１、２に示した微細気泡発生浴槽１と同様に行われる。
【００４９】
このように、図３、４に示した微細気泡発生浴槽１では、微細気泡発生運転と追い炊き運転を手動で切り換えることができ、入浴者が入浴中に手元などで簡便に行うことができる。また、手動操作部２４としての回転つまみ２５は浴槽３のフランジ部１１に配設されているので、火傷などの心配なく安全に行うことができる。しかも、微細気泡の発生にともない浴槽３内の湯水２が白濁した状態となっても、回転つまみ２５の操作は支障なくスムーズに行うことができる。
【符号の説明】
【００５０】
１  微細気泡発生浴槽
２  湯水
３  浴槽
４  循環経路
８  循環ポンプ
９  気体導入部
１１  フランジ部
１３  気体溶解装置
１５  排気手段
１７  熱交換器
１９  開口調整装置
２１  検知手段
２３  制御装置
２４  手動操作部
【図１】
2010252990.tif 000003
【図２】
2010252990.tif 000004
【図３】
2010252990.tif 000005
【図４】
2010252990.tif 000006